(57)【要約】【課題】大きな設備を必要とせず、アセプティック充填を簡単に行うことができるスパウト付きパウチ容器及びその製袋充填方法を提供する。【解決手段】前記パウチ１０は、表裏一対の外装シート１１の周縁部同士が所定幅で相互にヒートシールされることで袋状に形成されており、パウチ１０の上部には、パウチ１０内における内容物の充填部側とスパウト２０の装着部側とを相互に連通可能に区画する帯状の隔壁部１２が形成されている。隔壁部１２は、外装シート１１に対するシール強度が小さいイージーピールテープＴを外装シート１１間に挟み込み、両外装シート１１とイージーピールテープＴとを相互にヒートシールすることによって形成されており、パウチ１０における内容物の充填部側を押圧して内圧をかけることにより、シール強度の小さい隔壁部１２が剥離し、パウチ１０における内容物の充填部側とスパウト２０の装着部側とが相互に連通するようになっている。【選択図】        図１
2009073550.tif 000002
【特許請求の範囲】
【請求項１】
フレキシブルシートによって袋状に形成されたパウチにスパウトが取り付けられたスパウト付きパウチ容器において、
前記パウチ内が、内容物の充填部側と前記スパウトの装着部側とを相互に連通可能な帯状の隔壁部によって区画されていることを特徴とするスパウト付きパウチ容器。
【請求項２】
請求項１に記載のスパウト付きパウチ容器の製袋充填方法であって、
長尺帯状のフレキシブルシートを、二枚重ねまたは二つ折り状態で重ね合わせる工程と、
二枚重ねされた前記フレキシブルシートの一方の合わせ目縁側または二つ折りされた前記フレキシブルシートの折目縁側に、その合わせ目縁または折目縁に沿って延びる帯状の隔壁部を形成する工程と、
二枚重ねされた前記フレキシブルシートの他方の合わせ目縁または二つ折りされた前記フレキシブルシートの合わせ目縁を横シールしながら、内容物を充填する工程と
充填された内容物を密封するように、二枚重ねまたは二つ折りされたフレキシブルシートをその幅方向に所定幅で縦シールする工程と、
前記縦シール部を、その長手方向に切断する工程とを備え、
内容物を充填する前に、少なくとも、前記フレキシブルシートにおける内容物が接触する部分に対して殺菌処理を行う工程を設け、
帯状の前記隔壁部を形成した後に、二枚重ねされた前記フレキシブルシートの一方の合わせ目縁側または二つ折りされた前記フレキシブルシートの折目縁側にスパウトを装着するようにしたことを特徴とするスパウト付きパウチ容器の製袋充填方法。
【発明の詳細な説明】
【技術分野】
【０００１】
この発明は、アセプティック充填に適したスパウト付きパウチ容器及びその製袋充填方法に関する。
【背景技術】
【０００２】
平パウチ等の通常のパウチやブリックパック等の容器については、内容物の味や風味が損なわれ難いアセプティック充填が可能である。
【０００３】
【特許文献１】特開平１０−２９６８８６号公報
【発明の開示】
【発明が解決しようとする課題】
【０００４】
しかしながら、フレキシブルシートによって袋状に形成されたパウチにスパウトが取り付けられたスパウト付きパウチ容器に対してアセプティック充填を行おうとすると、スパウトキャップ部の殺菌を行うために、大きな設備が必要となるので、アセプティック充填を行っていないのが現状である。
【０００５】
そこで、この発明の課題は、大きな設備を必要とせず、アセプティック充填を簡単に行うことができるスパウト付きパウチ容器及びその製袋充填方法を提供することにある。
【課題を解決するための手段】
【０００６】
上記の課題を解決するため、請求項１に係る発明は、フレキシブルシートによって袋状に形成されたパウチにスパウトが取り付けられたスパウト付きパウチ容器において、前記パウチ内を、内容物の充填部側と前記スパウトの装着部側とを相互に連通可能な帯状の隔壁部によって区画したことを特徴とするスパウト付きパウチ容器を提供するものである。
【０００７】
また、請求項２に係る発明は、請求項１に記載のスパウト付きパウチ容器の製袋充填方法であって、長尺帯状のフレキシブルシートを、二枚重ねまたは二つ折り状態で重ね合わせる工程と、二枚重ねされた前記フレキシブルシートの一方の合わせ目縁側または二つ折りされた前記フレキシブルシートの折目縁側に、その合わせ目縁または折目縁に沿って延びる帯状の隔壁部を形成する工程と、二枚重ねされた前記フレキシブルシートの他方の合わせ目縁または二つ折りされた前記フレキシブルシートの合わせ目縁を横シールしながら、内容物を充填する工程と充填された内容物を密封するように、二枚重ねまたは二つ折りされたフレキシブルシートをその幅方向に所定幅で縦シールする工程と、前記縦シール部を、その長手方向に切断する工程とを備え、内容物を充填する前に、少なくとも、前記フレキシブルシートにおける内容物が接触する部分に対して殺菌処理を行う工程を設け、帯状の前記隔壁部を形成した後に、二枚重ねされた前記フレキシブルシートの一方の合わせ目縁側または二つ折りされた前記フレキシブルシートの折目縁側にスパウトを装着するようにしたことを特徴とするスパウト付きパウチ容器の製袋充填方法を提供するものである。
【発明の効果】
【０００８】
以上のように、請求項１に係る発明のスパウト付きパウチ容器は、パウチ内が、内容物の充填部側とスパウトの装着部側とを相互に連通可能な帯状の隔壁部によって区画されているので、内容物の充填時には、パウチにおける隔壁部の充填部側だけを殺菌処理すればよく、スパウト及びキャップについては、特に、殺菌しなくても、内容物が汚染されることはない。
【０００９】
従って、請求項２に係る発明の製袋充填方法のように、予め、帯状の隔壁部を形成しておくことによって、スパウトが装着されていない通常のパウチと同様の方式で殺菌・充填が可能になるので、大きな設備を必要とせず、アセプティック充填を簡単に行うことができる。
【発明を実施するための最良の形態】
【００１０】
以下、実施の形態について図面を参照して説明する。図１に示すように、このスパウト付きパウチ容器１は、ポリエチレンやポリプロピレン等の熱接着性を有する合成樹脂フィルムの外面にアルミホイル等のガスバリア性シート等を積層したポリエステルフィルム等をラミネートしたフレキシブルシートによって袋状に形成されたパウチ１０と、このパウチ１０に取り付けられる熱接着性樹脂によって形成されたスパウト２０とから構成されている。
【００１１】
前記パウチ１０は、表裏一対の外装シート１１、１１の周縁部同士が所定幅で相互にヒートシールされることで袋状に形成されており、パウチ１０の上部には、パウチ１０内における内容物の充填部側とスパウト２０の装着部側とを相互に連通可能に区画する帯状の隔壁部１２が形成されている。
【００１２】
前記隔壁部１２は、外装シート１１に対するシール強度が小さいイージーピールテープＴを、外装シート１１、１１間に挟み込み、両外装シート１１、１１とイージーピールテープＴとを相互にヒートシールすることによって形成されており、パウチ１０における内容物の充填部側を押圧して内圧をかけることにより、シール強度の小さい隔壁部１２が剥離し、パウチ１０における内容物の充填部側とスパウト２０の装着部側とが相互に連通するようになっている。
【００１３】
前記スパウト２０は、ポリエチレンやポリプロピレン等により形成され、袋状のパウチ１０に取り付けられる固着部２１と、この固着部２１の上部に設けられた飲口または注口となる口部２２と、この口部２２を開閉するスクリューキャップ２３とから構成されており、固着部２１が表裏一対の外装シート１１、１１の上縁部に挟み込まれた状態で、その側面が外装シート１１、１１の上縁部にヒートシールされている。
【００１４】
以上のように構成されたスパウト付きパウチ容器の製袋充填方法について以下に説明する。図２に示すように、まず、長尺帯状のフレキシブルシートＳを繰り出して、その幅方向に二つ折りしながら、二つ折りされたフレキシブルシートＳの折目縁側にイージーピールテープＴを挟み込み、イージーピールテープＴとその両側のフレキシブルシートＳとを相互にヒートシールすることにより、隔壁部１２となる部分ＷＰを形成していく。
【００１５】
続いて、二つ折りされたフレキシブルシートＳの折目縁Ｅ２を切除しながら、切り開かれたフレキシブルシートＳ間にスパウト２０の固着部２１を挿入し、フレキシブルシートの切除縁Ｅ３同士を相互にヒートシールすると共に、スパウト２０の固着部２１をフレキシブルシートＳにヒートシールする。
【００１６】
その後、二つ折りされたフレキシブルシートＳの合わせ目縁Ｅ１側を開いて殺菌処理した後、二つ折りされたフレキシブルシートＳの合わせ目縁をヒートシール（横シールＨＳ）しながら、内容物を充填し、充填された内容物を密封するように、二つ折りされたフレキシブルシートＳをその幅方向に所定幅でヒートシール（縦シールＶＳ）する。
【００１７】
最後に、縦シール部を、その幅方向の中央部で順次切断すると、図１に示すようなスパウト付きパウチ容器１が出来上がる。
【００１８】
以上のように、このスパウト付きパウチ容器１は、パウチ１０内が、内容物の充填部側とスパウト２０の装着部側とを相互に連通可能な帯状の隔壁部１２によって区画されているので、内容物の充填時には、パウチ１０における隔壁部１２の充填部側だけを殺菌処理すればよく、スパウト２０（スクリューキャップ２３）については、特に、殺菌しなくても、内容物が汚染されることはない。
【００１９】
従って、上述した製袋充填方法のように、予め、帯状の隔壁部１２を形成しておくことによって、スパウト２０が装着されていない通常のパウチ１０と同様の方式で殺菌・充填が可能になるので、大きな設備を必要とせず、アセプティック充填を簡単に行うことができる。
【００２０】
なお、上述した実施形態では、パウチ１０の殺菌処理を行う前にスパウト２０を装着しているが、これに限定されるものではなく、パウチ１０の殺菌処理を行った後にスパウト２０を装着するようにしてもよい。
【００２１】
また、上述した実施形態では、隔壁部１２を形成した後、フレキシブルシートＳの合わせ目縁側を開いて、パウチ１０における内容物の充填部側だけを殺菌処理しているが、これに限定されるものではなく、スパウト２０の装着前にフレキシブルシートＳとイージーピールテープＴとのヒートシールを行うのであれば、フレキシブルシートＳ及びイージーピールテープＴを繰り出した時点で、まず、それらを全体的に殺菌処理するようにしてもよい。
【００２２】
また、上述した実施形態では、イージーピールテープＴをフレキシブルシートＳの間に挟み込み、イージーピールテープＴとその両側のフレキシブルシートＳとを相互にヒートシールすることにより、隔壁部１２となる部分ＷＰを形成しているが、これに限定されるものではなく、相互に連通可能な弱シール状態を形成することができるのであれば、必ずしもイージーピールテープを使用する必要はなく、種々の手法を採用して隔壁部を形成すればよい。
【００２３】
また、上述した実施形態では、長尺帯状のフレキシブルシートＳを二つ折りした後にイージーピールテープＴを挟み込み、フレキシブルシートＳの折目縁を切除しているが、これに限定されるものではなく、２枚のフレキシブルシートＳを重ね合わせながら、イージーピールテープＴを挟み込むようにしてもよい。
【００２４】
また、上述した実施形態では、平袋タイプのパウチ１０にスパウト２０が装着されたスパウト付きパウチ容器１及びその製袋充填方法について説明したが、これに限定されるものではなく、例えば、図３に示すように、一対の外装シート１１、１１の下端部からガセットシート１３が折り込まれたボトムガセットタイプのスパウト付きパウチ容器２についても、本発明を適用することができることは言うまでもない。
【図面の簡単な説明】
【００２５】
【図１】この発明に係る一実施形態であるスパウト付きパウチ容器を示す平面図である。
【図２】同上のスパウト付きパウチ容器の製袋充填方法を説明するための説明図である。
【図３】他の実施形態であるスパウト付きパウチ容器を示す平面図である。
【符号の説明】
【００２６】
１、２  スパウト付きパウチ容器１
１０  パウチ
１１  外装シート
１２  隔壁部
１３  ガセットシート
２０  スパウト
２１  固着部
２２  口部
２３  スクリューキャップ
Ｓ  フレキシブルシート
Ｔ  イージーピールテープ
【図１】
2009073550.tif 000003
【図２】
2009073550.tif 000004
【図３】
2009073550.tif 000005